(57)【特許請求の範囲】
【請求項１】
回動中心に対して一方側に延在し帰零力を入力する入力側腕部と、他方側に延在し前記帰零力を出力する出力側腕部と、前記出力側腕部に形成される係合長穴部とを有する復針伝えレバーと、
前記係合長穴部と係合し前記帰零力を入力する係合ピンと、前記帰零力に応じて移動する方向を案内する案内部と、第一打面が形成される第一ハンマー部と、第二打面が形成される第二ハンマー部とを有する復針レバーと、
前記第一打面が当接して帰零される第一帰零力受部と、前記第二打面が当接して帰零される第二帰零力受部とを有する帰零部と、を備え、
前記係合長穴部及び前記係合ピンのいずれか一方が、前記回動中心とした周方向に対して斜めに他方をガイドし、
前記係合長穴部は、前記復針伝えレバーの前記回転中心側から前記出力側腕部の先端部の方向に形成され、
前記係合ピンは、前記帰零される際に、前記係合長穴部の側縁によって押し上げられることを特徴とするクロノグラフ帰零機構。
【請求項２】
前記係合長穴部は、直線状の２つの長穴部が折れ曲がって連結して「Ｌ」字形状の二辺を構成する第一長穴部と第二長穴部とが、鈍角をなすように端部において連続的に繋がっていることを特徴とする請求項１に記載のクロノグラフ帰零機構。
【請求項３】
前記第一打面は前記第二打面と直交する請求項１〜２のいずれか一項に記載のクロノグラフ帰零機構。
【請求項４】
前記第一帰零力受部の回転中心と前記第二帰零力受部の回転中心とを結ぶ直線は前記第二打面により形成される平面に対して傾斜する請求項１〜３のいずれか一項に記載のクロノグラフ帰零機構。
【請求項５】
前記復針レバーは前記第一打面に平行な第三打面を有し、前記帰零部は前記第三打面が当接する第三帰零力受部を備える請求項１〜４のいずれか一項に記載のクロノグラフ帰零機構。
【請求項６】
前記第三打面は、前記復針レバーが前記帰零力に応じて移動する方向に対し前記第一打面により形成される平面よりも前方又は後方に位置する請求項５に記載のクロノグラフ帰零機構。
【請求項７】
前記第三帰零力受部は、時ハートカム、分ハートカム及び秒ハートカム以外のダミー軸受部からなる請求項５又は６に記載のクロノグラフ帰零機構。
【請求項８】
前記案内部は直線状に案内されるガイドピン又は案内用長穴からなり、
前記帰零力に応じて前記第一及び第二ハンマーがそれぞれ前記第一及び第二帰零力受部に当接し帰零する位置において、前記ガイドピンが位置する近傍の前記案内用長穴は前記ガイドピンの径よりも大きい拡径部を有する請求項１〜７のいずれか一項に記載のクロノグラフ帰零機構。
【請求項９】
請求項１〜８までのいずれか一つの項に記載のクロノグラフ帰零機構を備えたクロノ
グラフ機構。
【請求項１０】
前記復針伝えレバーが単一のレバーからなり、前記復針伝えレバーの先端の発停レバー係合部に発停レバーの先端部が押付けられた際に前記復針伝えレバーが一方の向きに回動され、前記復針伝えレバーの帰零指示レバー係合部に帰零指示レバーの先端部が押付けられた際に前記復針伝えレバーが他方の向きに回動されるように構成された請求項９に記載のクロノグラフ機構。
【請求項１１】
請求項９又は１０に記載のクロノグラフ機構を備えるムーブメント。
【請求項１２】
請求項９又は１０に記載のクロノグラフ機構を備えるクロノグラフ時計。
【発明の詳細な説明】
【技術分野】
【０００１】
本発明は、クロノグラフ帰零機構及び該帰零機構を備えたクロノグラフ機構、該クロノグラフ機構を備えるムーブメント、並びに該クロノグラフ機構を備えたクロノグラフ時計に係る。
【背景技術】
【０００２】
帰零指示(リセット）ボタンの押圧に応じて第一及び第二の復針伝えレバーからなる復針伝えレバー構造体又は単一の復針伝えレバーを介して復針レバーに帰零力を加えて該復針レバーを作動させてクロノグラフ分針やクロノグラフ秒針等の帰零動作を行わせる。その際に、復針レバーが受ける帰零力と分ハートカムや秒ハートカム等から復針レバーに伝えられる反作用とが釣合う状態ですべてのクロノグラフ車（帰零力受部として力受体を構成するダミーの軸部（クロノグラフ真以外の軸部）を一部に含む場合もある）を最終的に帰零させるようにしたクロノグラフ機構は、知られている（特許文献１〜３等）。
【０００３】
この特許文献１等において図示されたクロノグラフ帰零機構１０３を備えたクロノグラフ機構１０１の場合、帰零指示ボタン（図示せず）を押圧して第一復針伝えレバー（図示せず）を回動させ、これにより、図１４に示したように、第二復針伝えレバー（又は単一の復針伝えレバー）４８２を回動中心４８２ｋのまわりでＰＡ１方向に回動させる。第二復針伝えレバー（又は単一の復針伝えレバー）４８２の直線状に延びた先端係合溝部４８２ｃで復針レバー４６４の係合ピン４６４ａをＰＢ１方向に押すことにより、復針レバー４６４をＰＤ１方向に変位させて、復針レバー４６４のハンマー部４６４ｄ，４６４ｅ及び４６４ｆで時ハートカム又はダミー軸部３３２ｄ、秒ハートカム３２２ｄ及び分ハートカム３４２ｄを叩いて、帰零させる。この帰零の際の復針レバー４６４のＰＤ１方向変位は、復針レバー４６４の案内用長穴４６４ｂ及び案内用長溝４６４ｃとクロノグラフ下板の如き支持基板に立設された案内ピン４６４ｎ及び４６４ｊとの係合によって規定される。帰零を確実に行うためのセルフアラインメントの条件、すなわち復針レバー４６４の変位のより詳細な条件は、特許文献１等に詳述されているように、ハートカム３３２ｄ，３２２ｄ，３４２ｄの配置や復針レバー４６４の外形形状並びに案内用長穴４６４ｂ及び案内用長溝４６４ｃの形状等によって規定される。
【０００４】
なお、クロノグラフ機構１０１が帰零状態にある際に、該帰零状態を解除すべく、発停ボタン（図示せず）を押圧して発停レバー（図示せず）を回動させる。これにより、復針伝えレバー構造体の第二復針伝えレバーや単一の復針伝えレバー４８２をＰＡ２方向に回動し、図１５に示したように、復針レバー４６４がＰＤ２方向に戻され、分クロノグラフ車３４２や秒クロノグラフ車３２２が通常のクロノグラフ運針の可能な状態に戻る。符号３３２で示したものがダミーの軸部等ではなくて時クロノグラフ車の場合には、時クロノグラフ車３３２も同時に通常のクロノグラフ運針の可能な状態に戻る。
【０００５】
しかしながら、この特許文献１等において図面に示された技術の場合、第二の復針伝えレバー４８２（特許文献１の復針伝えレバーＢ又は特許文献２の単一の復針伝えレバー４０）の長さによって復針レバー４６４のＰＤ１，ＰＤ２方向の可動ストロークの大きさやハートカムに対して帰零力が有効に加えられ得る範囲が決まってしまう。すなわち、特許文献１〜３等に明示された技術では、ムーブメントの小型化や自由なレイアウトが図られ難い。
【先行技術文献】
【特許文献】
【０００６】
【特許文献１】特開２００４−２９４２７７号公報
【特許文献２】特開２０１１−１８０１２２号公報
【特許文献３】特開２０１０−１５１６４２号公報
【発明の概要】
【発明が解決しようとする課題】
【０００７】
本発明は、前記諸点に鑑みなされたものであって、その目的とするところは、基本的な配置及び形状の変更を最低限に抑えつつムーブメントの小型化に対応し得るようにしたセルフアラインメント式のクロノグラフ帰零機構及び該帰零機構を備えたクロノグラフ機構、並びに該クロノグラフ機構を備えたクロノグラフ時計を提供することにある。
【課題を解決するための手段】
【０００８】
本発明のクロノグラフ帰零機構は、「回動中心に対して一方側に帰零力を入力する入力側腕部と、他方側に前記帰零力を出力する出力側腕部と、前記出力側腕部に形成される第一係合部とを有する復針伝えレバーと、前記第一係合部と係合し前記帰零力を入力する第二係合部と、前記帰零力に応じて移動する方向を案内する案内部と、第一打面が形成される第一ハンマー部と、第二打面が形成される第二ハンマー部とを有する復針レバーと、前記第一打面が当接して帰零される第一帰零力受部と、前記第二打面が当接して帰零される第二帰零力受部とを有する帰零部と、を備え、前記第一及び第二係合部のいずれか一方が、前記回動中心とした周方向に対して斜めに他方をガイドする」。
【０００９】
本発明のクロノグラフ帰零機構では、「第一及び第二係合部は、一方が係合穴からなり他方が係合穴と係合する係合ピンからなり、係合穴は凸状に曲がった長穴からなる」。これにより、ムーブメントの小型化に伴って復針伝えレバーの出力側腕部の長さが短くなった場合でも、帰零解除の際に、（第二係合部が係合ピンの場合の）復針レバーの係合ピンを（第一係合部が係合穴の場合の）復針伝えレバーの凸状に曲がった長穴の一端部に位置せしめて、復針レバーの第一及び第二ハンマー部を第一及び第二帰零力受部から十分に離すことができる。また、セルフアラインメント式の帰零動作の最終段階の際に、復針レバーの係合ピンを復針伝えレバーの長穴の他端部に位置せしめて、復針レバーの第一及び第二ハンマー部が対応する第一及び第二帰零力受部に対して密接され得るような帰零力を復針伝えレバーから復針レバーに加えることができる。
【００１０】
すなわち、ムーブメントの小型化に伴って復針伝えレバーの出力側腕部の長さが短くなった場合に、そのままでは、出力側腕部の該短小化に伴って出力側腕部の先端部に位置する係合長穴部の回動長も必然的に短くなり復針レバーのストロークが小さくなってしまう。これに対して本発明のクロノグラフ帰零機構では、「第一及び第二係合部は、一方が係合穴からなり他方が係合穴と係合する係合ピンからなり、係合穴は凸状に曲がった長穴からなる」。これにより、帰零解除動作の後半の段階では復針レバーの係合ピンが復針伝えレバーの凸状に曲がった長穴の上記一端部に近付くことによって第一及び第二帰零力受部から逃げる方向に変位され得る。そのため、帰零解除の際に、復針レバーのストロークを長く採り復針レバーの第一及び第二ハンマー部を第一及び第二帰零力受部から十分に離し得る。また、「係合穴は凸状に曲がった長穴からなる」から、復針レバーの第一及び第二ハンマー部が対応する第一及び第二帰零力受部に当接された後のセルフアラインメントの段階において、復針伝えレバーの出力側腕部の凸状に曲がった長穴の側壁から復針レバーの係合ピンに対して第二帰零力受部に向かう向きの力を確実に及ぼすことができる。最終的に第一及び第二帰零力受部の全てに対して第一及び第二ハンマー部を密接させるように帰零力を配分してセルフアラインメントを実現し得る。
【００１１】
すなわち、本発明のクロノグラフ帰零機構では、「第一及び第二係合部は、一方が係合穴からなり他方が係合穴と係合する係合ピンからなり、係合穴は凸状に曲がった長穴からなる」ので、復針伝えレバーの出力側腕部の長さや回動角度範囲にかかわらず、復針レバーの並進方向及び並進長（ストローク）を適切に確保し得る。
【００１２】
また、本発明のクロノグラフ帰零機構では、「前記係合穴は前記復針レバーが前記帰零力に応じて移動する移動方向に凸である。」また、「前記係合穴は前記出力側腕部が前記帰零力に応じて回転する回転方向に凸である」。これにより、帰零動作及び帰零解除動作が確実に行われる。
【００１３】
即ち、係合穴を復針レバーの移動方向に凸とすることにより、復針伝えレバーから復針レバーに受ける帰零力を第二ハンマー部が当接する第二帰零力受部の側に向けることができる。また、帰零解除の際には、復針伝えレバーの出力側腕部を第二帰零力受部から離すことができる。同様に、係合穴を、復針伝えレバーの出力側腕部が帰零時に回転する回転方向に凸とすることにより、復針伝えレバーから復針レバーに受ける帰零力を第二ハンマー部が当接する第二帰零力受部の側に向けることができる。また、帰零解除の際には、復針伝えレバーの出力側腕部を第二帰零力受部から離すことができる。
【００１４】
また、係合穴は、必要に応じて、復針伝えレバーの回動中心に近い基端側及び回動中心から遠い先端側をそれぞれ直線状の長穴とすることができる。また、直線状の長穴に代えて、例えば、円弧状又は他の曲線状の長穴とすることができる。
【００１５】
また、本発明のクロノグラフ帰零機構では、「前記係合穴は、直線状の２つの長穴部が折れ曲がって連結して「Ｌ」字形状を有する」。そして、「Ｌ」を構成する基端側及び先端側の直線状の長穴部が鈍角をなしている。
【００１６】
これにより、係合ピンは係合穴の基端側及び先端側の直線状の２つの長穴部の間を容易に移動することができる。ここで、基端側及び先端側の直線状の２つの長穴部は滑らかに湾曲した接続穴で連続的につながる。但し、所望ならば、基端側及び先端側の直線状の長穴部の成す角が鈍角である代わりに直角であっても９０度より小さくてもよい。
【００１７】
本発明のクロノグラフ帰零機構では、典型的には、先端側の直線状の長穴部が、帰零の際にその帰零位置を越えて回転したクロノグラフ車に対して該クロノグラフ車をその帰零位置に戻す帰零力を及ぼすに十分長い。
【００１８】
その場合、当該クロノグラフ車が帰零の際にその帰零位置を越えて回転した場合であっても、係合ピンが先端側の直線状の長穴部の中に留まり基端側の直線状の長穴部に入り込むのを避け得るので、係合ピンに適切な帰零力を及ぼし得るから、該クロノグラフ車を確実に帰零させ得る。
【００１９】
また、本発明のクロノグラフ帰零機構では、「前記第一打面は前記第二打面と直交する」。これにより、復針伝えレバーから復針レバーに伝達される帰零力を第一ハンマー部の第一打面及び第二ハンマー部の第二打面に効率よく伝達することができる。
【００２０】
また、本発明のクロノグラフ帰零機構では、「前記第一係合部は前記係合ピンからなり、前記第二係合部は前記係合穴からなる」。つまり、係合ピンが設置される復針レバーの上に係合穴が設置される復針伝えレバーを容易に組み立てることができる。
【００２１】
また、本発明のクロノグラフ帰零機構では、「前記第一帰零力受部の回転中心と前記第二帰零力受部の回転中心とを結ぶ直線は前記第二打面により形成される平面に対して傾斜する」。これにより、第一帰零力受部と第二帰零力受部の設置位置、第一及び第二帰零力受部の第一打面や第二打面の傾斜角、更に、第二帰零力受部に対する復針伝えレバーの出力側腕部の先端との間の位置についての各自由度が広がり、各部品をコンパクトに集約することが可能となる。
【００２２】
また、本発明のクロノグラフ帰零機構では、「前記復針レバーは前記第一打面に平行な第三打面を有し、前記帰零部は前記第三打面が当接する第三帰零力受部を備える」。三つの帰零力受部が、時分秒の三種類の夫々のクロノグラフ真及びハートカムと、クロノグラフ真以外のダミー軸部の形態の力受体とからなる四種類の帰零力受部のうちの三つの帰零力受部により構成することができる。
【００２３】
その場合、時分秒のうちの少なくとも二つのハートカム（従って対応するクロノグラフ針）の帰零が行われ得る。ここで、帰零力受部としてダミーの軸部（クロノグラフ真以外の軸部の力受体）が用いられる場合には、時分秒のうちの一つハートカム（対応するクロノグラフ針）は用いられない。
【００２４】
また、本発明のクロノグラフ帰零機構では、「前記第三帰零力受部は、時ハートカム、分ハートカム及び秒ハートカム以外のダミー軸受部からなる」。つまり、帰零力受部が、秒クロノグラフ真及び秒ハートカムと、分クロノグラフ真及び分ハートカムと、時クロノグラフ真以外のダミー軸部の形態の力受体とからなる。
【００２５】
その場合、分ハートカム及び秒ハートカム（従って分クロノグラフ針及び秒クロノグラフ針）の帰零が行われ得、この二つのクロノグラフ車の帰零に際してもう一つの帰零力受部としてダミーの軸部（クロノグラフ真以外の軸部の力受体）があることがセルフアラインメント式の帰零に寄与し得る。
【００２６】
また、本発明のクロノグラフ帰零機構では、「前記第三打面は、前記復針レバーが前記帰零力に応じて移動する方向に対し前記第一打面により形成される平面よりも前方又は後方に位置する」。これにより、第三帰零力受部の設置位置がずれる場合でも第一〜第三打面により第一〜第三帰零力受部を同時に帰零することが可能となる。また、第一帰零力受部の回転中心と第二帰零力受部の回転中心を結ぶ直線と、第一帰零力受部の回転中心と第三帰零力受部の回転中心を結ぶ直線とを直交させる必要が無い。そのため、各帰零力受部の相互位置関係の自由度が拡大し、各部品を一層コンパクトに集約し最適なレイアウトに構成することができる。
【００２７】
また、本発明のクロノグラフ帰零機構では、「前記案内部は直線状に案内されるガイドピン又は案内用長穴からなり、前記帰零力に応じて前記第一及び第二ハンマー部がそれぞれ前記第一及び第二帰零力受部に当接し帰零する位置において、前記ガイドピンが位置する近傍の前記案内用長穴は前記ガイドピンの径よりも大きい拡径部を有する」。
【００２８】
その場合、帰零の最終段階でセルフアラインメントが確実に行われ得る。ここで、案内部は一対のガイドピンにより構成してもよいし、一対の案内用長穴により構成してもよいし、ガイドピンと案内用長穴により構成してもよい。案内用長穴は、貫通穴であってもよいし、貫通しない溝であってもよいし、一部が側方に開放する穴や溝であってもよい。
【００２９】
本発明のクロノグラフ機構は、前記目的を達成すべく、上述のようなクロノグラフ帰零機構を備える。
【００３０】
本発明のクロノグラフ機構では、典型的には、復針伝えレバーが単一のレバーからなり、該復針伝えレバーの先端の発停レバー係合部に発停レバーの先端部が押付けられた際に該復針伝えレバーが前記一方の向きに回動され、該復針伝えレバーの帰零指示レバー係合部に帰零指示レバーの先端部が押付けられた際に該復針伝えレバーが前記他方の向きに回動されるように構成される。
【００３１】
その場合、関連するレバーの数を最低限に抑えた状態で帰零動作及びその解除動作が行われ得る。
【００３２】
本発明のクロノグラフ時計は、前記目的を達成すべく、上述のようなクロノグラフ機構ないし上述のようなクロノグラフ帰零機構を有する。
【図面の簡単な説明】
【００３３】
【図１】本発明の好ましい一実施例（実施例１）のクロノグラフ帰零機構を備えた本発明の好ましい一実施例のクロノグラフ機構を有する本発明の好ましい一実施例のクロノグラフ時計の一部を示した平面説明図。
【図２】図１のクロノグラフ機構が帰零動作を完了した状態において復針伝えレバー及び復針レバーと三つの帰零力受部としての秒クロノグラフ車及び分クロノグラフ車並びに時クロノグラフ真以外の軸部の力受体としてのダミー軸とを示す平面説明図。
【図３】帰零解除動作を完了した状態におけるクロノグラフ機構を示す図２と同様な平面説明図。
【図４】帰零動作の最終段階であって帰零動作を完了する前の状態におけるクロノグラフ機構を示す図２と同様な平面説明図。
【図５】図２に示した帰零位置のクロノグラフ機構と図９に示した帰零位置の仮想的なクロノグラフ機構とを重ねて対比した平面説明図。
【図６】図２に示した帰零位置のクロノグラフ機構を図１１に示した（仮想）帰零位置のクロノグラフ機構と重ねて対比した平面説明図。
【図７】図３に示した発停位置のクロノグラフ機構を図１０に示した発停位置の仮想的なクロノグラフ機構と重ねて対比した平面説明図。
【図８】図３に示した発停位置のクロノグラフ機構を図１２に示した発停位置の仮想的なクロノグラフ機構と重ねて対比した平面説明図。
【図９】従来技術の改変によって得られると想定される一つの仮想的なクロノグラフ帰零機構を備えた一つの仮想的なクロノグラフ機構を有する一つの仮想的な時計が帰零位置にある状態を示した平面説明図。
【図１０】図９のクロノグラフ時計のクロノグラフ機構が仮想的な発停位置（帰零解除位置）にある状態を示した平面説明図。
【図１１】従来技術の改変によって得られると想定される別の一つの仮想的なクロノグラフ帰零機構を備えた別の一つの仮想的なクロノグラフ機構を有する別の一つの仮想的な時計が帰零位置にある状態を示した平面説明図。
【図１２】図１１のクロノグラフ時計のクロノグラフ機構が発停位置（帰零解除位置）にある状態を示した平面説明図。
【図１３】図１１のクロノグラフ時計のクロノグラフ機構が帰零動作の最終段階であって帰零動作を完了する前の状態にある状態を示した平面説明図。
【図１４】帰零状態にある従来のセルフアラインメント式のクロノグラフ時計のクロノグラフ帰零機構を備えたクロノグラフ機構を示した平面説明図。
【図１５】発停状態（帰零解除状態）にある図１４のクロノグラフ時計のクロノグラフ帰零機構を備えたクロノグラフ機構を示した平面説明図。
【図１６】本発明の好ましい他の一実施例（実施例２）のクロノグラフ帰零機構を示す平面模式図。
【図１７】本発明の好ましい他の一実施例（実施例３）のクロノグラフ帰零機構を示す平面模式図。
【発明を実施するための形態】
【００３４】
本発明の好ましい一実施の形態を添付図面に示した好ましい一実施例に基づいて説明する。
【実施例１】
【００３５】
なお、本発明の好ましい一実施例のクロノグラフ機構１及びこれを備えたクロノグラフ時計２について、図１から図３に基づいて説明する前に、図１４及び図１５に示した種類の従来のクロノグラフ機構１０１について、クロノグラフ時計のムーブメント自体が小さくなりそれに応じて復針レバー構造体の第二復針伝えレバー（又は単一の復針伝えレバー）の大きさを小さくする必要がある場合に生じる虞れがある問題について、説明する。
【００３６】
クロノグラフ時計のムーブメントのサイズ（例えば外径）が図１４及び図１５に示したクロノグラフ時計１０２のムーブメント１０４のサイズ（例えば外径）よりも小さくなった場合において、セルフアラインメント式のクロノグラフ機構の変更を最低限に抑えようとすることを想定する。その場合、セルフアラインメント式のクロノグラフ機構の基本的部分をなし該クロノグラフ機構を構成する秒クロノグラフ車３２２、分クロノグラフ車３４２及びクロノグラフ真以外のダミー軸部の形態の力受体（又は時クロノグラフ車）３３２の相対配置及び大きさ（サイズ）を図１４及び図１５のクロノグラフ機構１０１の秒クロノグラフ車３２２、分クロノグラフ車３４２及びクロノグラフ真以外のダミー軸部の形態の力受体（又は時クロノグラフ車）３３２の相対配置及び大きさ（サイズ）と同一に保つものと想定する。
【００３７】
そのような条件下では、典型的には、ムーブメントの外周に概ね沿うように配置される復針レバー構造体の第二復針伝えレバー（又は単一の復針伝えレバー）の入力側及び出力側の腕のうち出力側の腕の長さを短くし、第二復針伝えレバー（又は単一の復針伝えレバー）及び復針レバーの形状を変えることになる。
【００３８】
この場合、典型的には、図９に示したようにクロノグラフ帰零機構２０３を備えたクロノグラフ機構２０１の帰零動作は適切に行われ得るけれども図１０に示したように帰零の解除が適切には行われ得ないとき（図９及び図１０に示した場合）と、図１２に示したようにクロノグラフ帰零機構３０３を備えたクロノグラフ機構３０１の帰零解除動作は適切に行われ得るけれども図１１に示したに示したように帰零動作が適切には行われ得ないとき（図１１及び図１２に示した場合）とがある。
【００３９】
すなわち、クロノグラフ時計２０２のクロノグラフ機構２０１の場合、図９に示したように、帰零動作の際には、帰零指示ボタン（図示せず）を押圧して復針レバー構造体を構成する第一復針伝えレバー（図示せず）を介して第二復針伝えレバー（又は単一の復針伝えレバー）５８２を回動中心４８２ｋのまわりでＡ１方向に回動させる。第二復針伝えレバー（又は単一の復針伝えレバー）５８２の先端係合溝部５８２ｃで復針レバー５６４の係合ピン５６４ａをＢ５１方向に押すことにより、復針レバー５６４をＤ５１方向に変位させて、復針レバー５６４のハンマー部５６４ｄ，５６４ｅ及び５６４ｆで時ハートカム又はダミー軸部３３２ｄ、秒ハートカム３２２ｄ、及び分ハートカム３４２ｄを叩いて、帰零させ得る点では、図１４に示したクロノグラフ機構１０１と同様である。
【００４０】
なお、このクロノグラフ機構２０１では、第二復針伝えレバー（又は単一の復針伝えレバー）５８２の回動中心４８２ｋの位置及び入力側腕部５８２ｉの形状はクロノグラフ機構１０１の場合（第二復針伝えレバー（又は単一の復針伝えレバー）４８２の回動中心４８２ｋの位置及び入力側腕部４８２ｉの形状）と同一である。クロノグラフ機構２０１では、第二復針伝えレバー（又は単一の復針伝えレバー）及び復針レバー及びその関連要素については、クロノグラフ機構１０１の対応する要素の符号のうち「１００」の位の数値を「４」から「５」に変更した符号が用いられている。また、このクロノグラフ機構２０１では、復針レバー５６４に加える力の向き及び変位方向についても、「５」を加えて、夫々、Ｂ５１，Ｄ５１とした。
【００４１】
クロノグラフ機構２０１において、帰零状態にある際に、発停ボタン（図示せず）を押圧することにより帰零解除指示を出して、発停レバー（図示せず）を回動させる。これにより、第二復針伝えレバー（又は単一の復針伝えレバー）５８２をＡ２方向に回動させた場合、第二復針伝えレバー（又は単一の復針伝えレバー）５８２の出力側腕部５８２ｆが短いので、図１０に示した通り、復針レバー５６４が十分にはＤ５２方向に戻され得ず、例えば、秒クロノグラフ車３２２の回転軌跡内に秒ハンマー５６４ｅの先端部の一部５６４ｅｒが残る。従って、本来のクロノグラフ運針動作が行われ得なくなる。
【００４２】
一方、帰零解除の指示の際に復針レバーを十分に戻し得るように、係合溝ないし長穴の基端側の位置を後方にずらすと想定すると、クロノグラフ機構３０１は、概ね、図１１及び図１２の通りとなる。クロノグラフ機構３０１においてクロノグラフ機構１０１の要素と同一に保つ要素はクロノグラフ機構２０１の場合と同様であるけれども、クロノグラフ機構３０１においては、第二復針伝えレバー（又は単一の復針伝えレバー）６８２の出力側腕部及び関連要素の形状及び復針レバー６６４の形状、並びにクロノグラフ車３２２，３４２等の全体の向きや全体の配置は、クロノグラフ機構１０１とは異なる。
【００４３】
このクロノグラフ時計３０２のクロノグラフ機構３０１では、図１２に示した通り、帰零解除動作が行われ、復針伝えレバー構造体を構成する第二復針伝えレバー（又は単一の復針伝えレバー）６８２がＡ２方向に回動され、出力側腕部６８２ｆの先端部の長穴６８２ｃの基端６８２ｃ１に復針レバー６６４のピン６６４ａが位置するとき、時ハンマー又はダミー軸部に対する当接部６６４ｄや分ハンマー６６４ｆだけでなく、秒ハンマー６６４ｅも、その先端部の部分６６４ｅｒを含む全体が対応するダミー軸部３３２ｄや分クロノグラフ車３４２及び秒クロノグラフ車３２２の領域から完全に離れる。従って、帰零解除が確実に行われて、その後、クロノグラフ機構３０１の発停動作が適切に行われ得る。
【００４４】
クロノグラフ機構３０１では、第二復針伝えレバー（又は単一の復針伝えレバー）及び復針レバー及びその関連要素の符号については、クロノグラフ機構１０１の対応する要素の符号のうち「１００」の位の数値を「４」から「６」に変更した符号が用いられている。また、このクロノグラフ機構３０１では、復針レバー６６４に加える力の向き及び変位方向についても、「６」を加えて、夫々、Ｂ６１，Ｄ６１とした。
【００４５】
クロノグラフ機構３０１の場合、図１１に示した通り、帰零動作の際には、帰零指示ボタン（図示せず）を押圧して第一復針伝えレバー（図示せず）を回動させ、これにより、図１１に示したように、第二復針伝えレバー６８２を回動中心４８２ｋのまわりでＡ１方向に回動させ、第二復針伝えレバー６８２の先端係合溝部６８２ｃで復針レバー６６４の係合ピン６６４ａをＢ６１方向に押すことにより、復針レバー６６４をＤ６１方向に変位させて、復針レバー６６４のハンマー部６６４ｄ及び６６４ｅで時ハートカム又はダミー軸部３３２ｄ及び秒ハートカム３２２ｄを叩いて帰零させ得る。この点では図１４に示したクロノグラフ機構１０１と同様である。しかし、第二復針伝えレバー６８２の長穴６８２ｃの側壁部６８２ｃ２から復針レバー６６４のピン６６４ａに対して加えられる帰零力の向きＢ６１が、分ハンマー６６４ｆ（より詳しくは分ハンマーの作動面６６４ｆ）の延在方向と概ね平行になるので、分ハンマー６６４ｆでは分ハートカム３４２ｄに帰零力を加え得ず、分クロノグラフ車３４２を実際上帰零させ難い。
【００４６】
より詳しくは、図１３に示したように、秒ハートカム３２２ｄの帰零が実際上完了し、ダミーピン３３２ｄへの当接（換言すれば、時クロノグラフ車がある場合における時ハートカム３３２ｄの帰零）も実際上完了した状態であって、分クロノグラフ車３４２の分ハートカム３４２ｄだけが完全には帰零されておらずその帰零途中にある状態において、復針伝えレバー６８２の長穴６８２ｃの側壁６８２ｃ２が復針レバー６６４のピン６６４ａを押す向きＢ６１が秒クロノグラフ車３２２の中心軸線ＰＣとダミー軸部３３２ｄの中心軸線ＰＣ２とを結ぶ仮想線ＰＶ１に対して概ね直角になる。そのため、セルフアラインメントの最終段階で復針レバー６６４を分ハートカム３４２ｄに押付ける力を実際上欠き、分クロノグラフ車３４２を実際上帰零させ難くなる。
【００４７】
本発明者は、図１４及び図１５に示したような従来のセルフアラインメント式のクロノグラフ機構１０１では、帰零力受部となるクロノグラフ車やそのダミー軸部３２２，３３２ｄ，３４２等の変更を最低限に抑えつつクロノグラフ時計１０２のムーブメント１０４のサイズ等の異なるものに適用しようとすると、上述のような種々の問題が生じることに気づき、本発明に到達した。次に、その一例について、詳しく説明する。
【００４８】
本発明の好ましい一実施例のセルフアラインメント式のクロノグラフ帰零機構３を備えたクロノグラフ機構１を有する本発明の好ましい一実施例のクロノグラフ時計２は、例えば、図１から図５に示した通りの構造を有する。
【００４９】
クロノグラフ時計２のクロノグラフ機構１は、図１に示した通り、クロノグラフ下板５の如き基板等によって支持された帰零力受部としての秒クロノグラフ車８１（第一帰零力受部）、帰零力受部としての分クロノグラフ車８２（第二帰零力受部）及び帰零力受部（第三帰零力受部）を構成するクロノグラフ真以外の軸部の力受体としてのダミーピン８３（ダミー軸受部）や発停（スタート／ストップ）ボタン１６及び帰零指示（リセット）ボタン１７に加えて、帰零指示（リセット）レバー２０、発停レバー３０、復針伝えレバー４０、及び復針レバー５０を有する。なお、第一〜第三帰零力受部は帰零部に含まれる。また、第一帰零力受部は秒クロノグラフ車以外のクロノグラフ車又はダミーピンであってもよいし、第二帰零力受部は分クロノグラフ車以外のクロノグラフ車又はダミーピンであってもよいし、第三帰零力受部はダミーピン以外のクロノグラフ車であってもよい。クロノグラフ時計２のムーブメント４は概ねクロノグラフ下板５と同様な平面形状を有する。この例では、クロノグラフ機構１を構成する要素ないし部品はその細かい形状や長さや相対配置を除いて特許文献２の図２等に示したものと概ね同様である（停止レバー等の一部の部品(要素）の図示は省略してある）。
【００５０】
ダミーピン８３は中心軸線Ｃ１（回転中心）に沿って立設されている。ダミーピン８３の代わりに、特許文献２のように、時クロノグラフ車が設けられていてもよい。ダミーピン８３の半径は、典型的には、時クロノグラフ車がある場合における時ハートカムの帰零面と回転中心軸線Ｃ１との間の距離に一致する。秒クロノグラフ車８１は、中心軸線Ｃ（回転中心）のまわりで回転可能であって、秒ハートカム８１ｄで帰零力を受ける。分クロノグラフ車８２は、中心軸線Ｃ２（回転中心）のまわりで回転可能であって、分ハートカム８２ｄで帰零力を受ける。
【００５１】
帰零指示レバー２０は中心軸線Ｃ４のまわりでＥ１，Ｅ２方向に回動可能であってその両側に入力側及び出力側腕部２２，２３を備える。ばね部（図示せず）によってＦ２方向復元力を受けた帰零指示ボタン１７がＦ１方向に押圧されると、帰零指示レバー２０は、該ボタン１７の押圧力を入力側腕部２２の突出部２６で受けてＥ１方向に回動され、出力側腕部２３の先端側縁の係合縁部２９が前に進む向きにＥ１方向に回動される。
【００５２】
発停レバー３０も一端に位置する中心軸線Ｃ４のまわりでＥ２，Ｅ１方向に回動可能であって該端部から延在した腕部３３の先端の内側に復針伝えレバー押圧用突出部３５を備える。ばね部（図示せず）によってＧ２方向復元力を受けた発停ボタン１６がＧ１方向に押圧されると、発停レバー３０は、該ボタン１６の押圧力を腕部３３の基端部の外側の突出部３６で受けてＥ２方向に回動され、腕部３３の先端の内側縁の押圧用突出部３５が前に進む向きにＥ２方向に回動される。
【００５３】
復針伝えレバー４０は中心軸線Ｃ５（回動中心）のまわりでＨ１，Ｈ２方向に回動可能であってその両側に入力側及び出力側腕部４２，４３を備える。復針伝えレバー４０の入力側腕部４２は、先端の一側に発停レバー係合部４４を備えると共にクロノグラフ下板５に対面する主面からクロノグラフ下板５に向かって突出した帰零指示レバー係合用ピン状突起部４５を備える。復針伝えレバー４０の出力側腕部４３は、先端部に、「Ｌ」字状の係合長穴部７０（第一係合部の係合穴）を備える。出力側腕部４３は、更に、復針伝えレバー４０の回動位置を規定する復針伝えレバー用スイッチばね部６４と係合するピン状突起部４７を備える。スイッチばね部６４は一側に山部６４ａを備える。
【００５４】
係合長穴部７０（第一係合部が係合穴の場合）は、端部７１から端部７２まで直線状に延び幅が一定の第一長穴部７３と、該第一長穴部７３の端部７２から別の端部７４まで直線状に延び幅が一定の第二長穴部７５とを備え、該係合長穴部７０は、全体として、復針伝えレバー４０の出力側腕部４３の先端部が描く円弧（図１〜図４の図面において下に凸の円弧）とは逆向きに凸状に曲がっている。より詳しくは、第一長穴部７３と第二長穴部７５とは全体として概ね「Ｌ」字状の形状をなす。更に言えば、「Ｌ」の二辺を構成する第一長穴部７３と第二長穴部７５とは鈍角をなすように端部７２において連続的に繋がっている。第一長穴部７３の側壁ないし側面７３ａ，７３ｂは端部７１，７２間では実際上直線状であり、第二長穴部７５の側壁ないし側面７５ａ，７５ｂも端部７２，７４間では実際上直線状である。側面７３ａ及び側面７５ａは端部７２において湾曲して滑らかにつながり、側面７３ｂ及び側面７５ｂも端部７２において湾曲して滑らかにつながっている。
【００５５】
長穴部７５の側面７５ａの向き、換言すれば該側面７５ａに対して垂直に働く力Ｋの向きは、中心軸線Ｃ，Ｃ１を結ぶ仮想線Ｖ１に対して斜め方向であって且つ該仮想線Ｖ１に対して直交する仮想線Ｖ２に対して、分クロノグラフ車８２の中心軸線Ｃ２に対面する側に傾いて（向いて）いる。
【００５６】
帰零指示ボタン１７のＦ１方向の押圧により帰零指示レバー２０がＥ１方向に回動されると、該帰零指示レバー２０は出力側腕部２３の先端側縁の係合縁部２９で復針伝えレバー４０のピン状突起部４５を押して復針伝えレバー４０をＨ１方向に回動させる。これにより、ピン状突起部４７がスイッチばね部６４の山部６４ａの基端側側面６４ｂに当接する位置に設定される。
【００５７】
一方、クロノグラフ機構１が帰零状態にある際に、発停ボタン１６のＧ１方向の押圧により帰零解除の指示が出されて発停レバー３０がＥ２方向に回動されると、該発停レバー３０は腕部３３の先端内側縁の押圧用突出部３５で復針伝えレバー４０の対向する発停レバー係合部４４を押して復針伝えレバー４０をＨ２方向に回動させる。これにより、ピン状突起部４７がスイッチばね部６４の山部６４ａの先端側側面６４ｃに当接する位置に設定される。
【００５８】
復針レバー５０は、概ね直線状に延びた案内胴部５１と、該案内胴部５１の先端側に形成された第一復針レバー部５２、並びに該胴部５１の中間部においてその両側に形成された第二及び第三復針レバー部５３，５４とを有する。第一、第二及び第三復針レバー部５２，５３，５４の先端部は、秒ハンマー５２ａ（第一ハンマー部）、分ハンマー５３ａ（第二ハンマー部）及び時ダミーハンマー５４ａ（第三ハンマー部）になっていて、先端面５２ｂ（第一打面），５３ｂ（第二打面）及び５４ｂ（第三打面）が秒ハンマー５２ａ、分ハンマー５３ａ及び時ダミーハンマー５４ａの叩き面になっている。なお、第一ハンマー部は秒ハンマー５２ａ以外のハンマーであってもよいし、第二ハンマー部は分ハンマー５３ａ以外のハンマーであってもよいし、第三ハンマー部は時ダミーハンマー以外のハンマーであってもよい。案内胴部５１には、クロノグラフ下板５に立設された一対のガイドピンとしての円柱状案内ピン５ａ，５ｂが嵌った一対の案内溝としての先端側の案内用長穴５５（案内部が案内用長穴の場合）及び後端側の案内用長溝５６（案内部が案内用長穴の場合）とが形成されている。セルフアラインメントを可能にするように、案内用長穴５５及び案内用長溝５６の手前側端部には円柱状案内ピン５ａ，５ｂの径よりの多少大きい（幅広の）拡径部５５ａ，５６ａが形成されている。つまり、帰零力に応じて第一及び第二ハンマー部がそれぞれ第一及び第二帰零力受部に当接し帰零する位置において、ガイドピンが位置する近傍の案内用長穴はガイドピンの径よりも大きい拡径部を有する。
【００５９】
なお、第二復針レバー部５３の先端部近傍には、側方に突出した力入力部５７が形成され、該力入力部５７には、復針伝えレバー４０の係合長穴部７０に係合した係合ピン５８が形成されている。この係合ピン５８の径は係合長穴部７０を構成する第一及び第二長穴部７３，７５の幅に概ね一致している（長穴部７３，７５内でその長手方向に移動可能なように長穴部７３，７５の幅よりも僅かに小さい）。
【００６０】
以上において、クロノグラフ帰零機構３は、帰零指示ボタン１７と、帰零指示レバー２０と、復針伝えレバー４０と、復針レバー５０と、秒クロノグラフ車８１と、分クロノグラフ車８２とダミーピン８３とを含み、より詳しくは、復針レバー用スイッチばね部６４等の関連要素を含む。クロノグラフ機構１は、クロノグラフ帰零機構３に加えて、発停ボタン１６や、発停レバー３０や停止レバー（図示せず）等を含む。
【００６１】
以上の如く構成されたクロノグラフ帰零機構３を備えたクロノグラフ機構１を有するクロノグラフ時計２におけるクロノグラフ動作について、より詳しく説明する。
【００６２】
図１からわかるように、クロノグラフ機構１が帰零状態にある際に発停ボタン１６がＧ１方向に押されて帰零解除指示が出される場合、発停レバー３０が中心軸線Ｃ４のまわりでＥ２方向に回動されるので、復針伝えレバー４０が該発停レバー３０の押圧用突出部３５によって係合部４４でＨ２方向に力を受けて、復針伝えレバー４０が、中心軸線Ｃ５のまわりでＨ２方向に回動される。
【００６３】
従って、図１に加えて図３からわかるように、復針伝えレバー４０の出力側腕部４３のＨ２方向回動に伴い、出力側腕部４３のピン状突起部４７がスイッチばね部６４の基部側側面６４ｂから山部６４ａを越えて先端側側面６４ｃに至る。また、復針伝えレバー４０の出力側腕部４３のＨ２方向回動に伴い、該腕部４３の先端の係合長穴部７０もＨ２方向に回動されるので、該係合長穴部７０に係合している復針レバー５０の係合ピン５８が係合長穴部７０の先端側長穴部７５から基端側長穴部７３に移動し、基端側長穴部７３の端部７１近傍に至る。ここで、係合ピン５８を備える復針レバー５０の変位は、案内用長穴５５及び後端側の案内用長溝５６で係合したガイドピン５ａ，５ｂによって規定されているので、復針レバー５０は、実際上Ｄ２方向に並進されて図３に示した帰零解除位置ないし発停位置Ｐ１に設定される。復針レバー５０の帰零解除位置（発停位置）Ｐ１では、復針レバー５０のハンマー部５２ａ，５３ａ，５４ａは、関連するクロノグラフ車ないしそのダミー８１，８２，８３と干渉する領域から完全に離脱する。ここで、復針レバー５０について、帰零状態の解除が完了した帰零解除位置Ｐ１は実際上クロノグラフ計測動作が開始される位置（開始位置）や該クロノグラフ計測動作が停止された際の停止位置や該クロノグラフ計測動作が再開された際の位置である再開位置と一致する。なお、発停動作に際しては停止レバー（特許文献２において符号７０で示される部材）や関連規制部材が係わるけれども、その種の動作自体は周知であり、例えば、特許文献２の関連要素がそのまま適用され得るので、ここではその説明は省略する。
【００６４】
図８は、図３に示した復針レバー５０が帰零解除位置ないし発停位置Ｐ１にあって帰零解除状態ないし発停状態Ｓ１にあるクロノグラフ機構１と図１２に示した復針レバー６６４が帰零解除位置ないし発停位置Ｐｂ１にあって帰零解除状態ないし発停状態Ｓｂ１にあるクロノグラフ機構３０１とを重ねて示した。図８からわかるように、この状態では、クロノグラフ機構１の係合長穴部７０の形状とクロノグラフ機構３０１の係合長穴６８２ｃとの形状が異なる点を除いて、クロノグラフ機構１はクロノグラフ機構３０１と実際上同一の形状を有し、クロノグラフ機構１の復針レバー５０の係合ピン５８がクロノグラフ機構３０１の復針レバー６６４の係合ピン６６４ａと実際上同一位置を採るので、復針レバー５０のハンマー部５２ａ，５３ａ，５４ａは、関連するクロノグラフ車ないしそのダミーピン８１，８２，８３と干渉する領域から完全に離脱する（例えば、復針レバー５０の秒ハンマー部５２ａの先端部５２ｄが秒クロノグラフ車８１の領域に残るのを確実に避け得る点は、図１３のクロノグラフ機構３０１の場合と同様である）。
【００６５】
図７は、図３に示した復針レバー５０が帰零解除位置（発停位置）Ｐ１にあって帰零解除状態（発停状態）Ｓ１にあるクロノグラフ機構１と図１０に示した復針レバー５６４が帰零解除位置（発停位置）Ｐａ１にあって帰零解除状態（発停状態）Ｓａ１にあるクロノグラフ機構２０１とを重ねて示した。図７からわかるように、この状態では、クロノグラフ機構１の係合長穴部７０のうちの長穴部７３およびその端部７１がクロノグラフ機構２０１の係合溝部５８２ｃよりもＤ２方向に引いた（ずれた）ところに位置するので、帰零解除位置（発停位置）Ｐ１にあるクロノグラフ機構１の復針レバー５０は、帰零解除位置（発停位置）Ｐａ１にあるクロノグラフ機構２０１の復針レバー５６４よりもＤ２方向に引いた（ずれた）ところに位置する。従って、帰零解除位置（発停位置）Ｐ１にあるクロノグラフ機構１の復針レバー５０の秒ハンマー部５２ａの先端部５２ｄは、帰零解除位置（発停位置）Ｐａ１にあるクロノグラフ機構２０１の秒ハンマー部の先端部５６４ｅｒと異なり、秒クロノグラフ車８１（秒クロノグラフ車３２２に対応）と干渉することのないＤ２方向に引いた（ずれた）ところ（即ち秒クロノグラフ車８１からＤ２方向により離れたところ）に位置する。
【００６６】
従って、長穴部７３を備えた係合長穴部７０を有する復針レバー５０を具備するクロノグラフ機構１では、発停動作が、復針レバー５０によって妨げられることなく、適切に行われ得る。
【００６７】
一方、図１からわかるように、帰零ボタン１７がＦ１方向に押された場合、帰零指示レバー２０が中心軸線Ｃ４のまわりでＥ１方向に回動されるので、復針伝えレバー４０が該帰零指示レバー２０の係合縁部２９によって係合ピン４５でＨ１方向に力を受けて、復針伝えレバー４０が、中心軸線Ｃ５のまわりでＨ１方向に回動される。
【００６８】
従って、図１に加えて図２及び図４からわかるように、復針伝えレバー４０の出力側腕部４３のＨ１方向回動に伴い、出力側腕部４３のピン状突起部４７がスイッチばね部６４の先端側側面６４ｃから山部６４ａを越えて基部側側面６４ｂに至る。また、復針伝えレバー４０の出力側腕部４３のＨ１方向回動に伴い、該腕部４３の先端の係合長穴部７０もＨ１方向に回動されるので、該係合長穴部７０に係合している復針レバー５０の係合ピン５８が係合長穴部７０の基端側長穴部７３から先端側長穴部７５に移動し、先端側長穴部７５の端部７４近傍に至る（図４）。
【００６９】
ここで、係合ピン５８を備える復針レバー５０の変位は、案内用長穴５５及び後端側の案内用長溝５６で係合したガイドピン５ａ，５ｂによって規定されているので、復針レバー５０は、実際上Ｄ１方向に並進されて図４に示した帰零近傍位置Ｐ２ｎに設定される。復針レバー５０の帰零近傍位置Ｐ２ｎでは、復針レバー５０のハンマー部５２ａ，５３ａ，５４ａのうち秒ハンマー部５２ａ及びダミーハンマー部５４ａはその先端叩き面５２ｂ及び５４ｂが対応する秒ハートカム８１ｄの帰零面及びダミーピン８３の周面に当接する状態に達するけれども、分ハンマー５３ａは分クロノグラフ車８２を完全には帰零させておらずその途上にあって分ハンマー５３ａの叩き面５３ｂと分ハートカム８２ｄの帰零面との間には多少の隙間Ｍが楔状に残っている。
【００７０】
図４からわかるように、このとき、復針伝えレバー４０は、Ｌ字状の係合長穴部７０のうち先端側長穴部７５の先端部７４の近傍で復針レバー５０の係合ピン５８に係合した状態になる。従って、復針伝えレバー４０は、そのＨ１方向回動に伴い、先端側長穴部７５の側縁７５ａで該側縁７５ａに実際上垂直な向きＫに復針レバー５０の係合ピン５８を押す。また、このセルフアラインメントの最終段階では、図４からわかるように、ガイドピン５ａ，５ｂが案内用長穴５５及び後端側の案内用長溝５６の拡径部５５ａ及び５６ａに位置し該拡径部５５ａ及び５６ａの壁部とガイドピン５ａ，５ｂの周面との間に隙間ができるので、ガイドピン５ａ，５ｂが案内用長穴５５及び案内用長溝５６の長手方向Ｄ２だけでなく該長手方向Ｄ２に対して交差する向きにも変位可能になる。なお、この段階では、秒ハンマー部５２ａ及びダミーハンマー部５４ａが秒ハートカム８１ｄ及びダミーピン８３に当接しているので、Ｖ１方向に垂直な向きの変位は禁止されてＶ１方向の変位だけが許容されるから、復針レバー５０は、Ｋ方向力のうちＶ１方向に平行な方向の成分の力の作用下でＶ１方向に平行な方向（すなわちＶ２方向に対して直角な方向）に変位される。すなわち、復針レバー５０の該Ｖ１方向変位に伴って、分ハンマー５３ａが叩き面５３ｂで分ハートカム８２ｄの帰零面に密接されて、分クロノグラフ車８２の帰零も完了し、クロノグラフ機構１の復針レバー５０が帰零位置Ｐ２に達する（図２）。
【００７１】
なお、クロノグラフ分針（図示せず）を有する分クロノグラフ車８２が慣性によって回り過ぎた場合にも、復針レバー５０が図２の帰零位置Ｐ２を越えて図４の帰零近傍位置Ｐ２ｎ又はこれに近い位置に達することがある。その場合、分ハートカム８２ｄが更に回ると（例えば、図４において時計回りに回ると）復針レバー５０がＤ２方向に押し戻される。このとき、係合長穴部７０の先端側長穴部７５の長さが比較的短いと復針レバー５０の係合ピン５８が先端側長穴部７５を越えて基端側長穴部７３に入って（戻って）しまうと、復針レバー５０の分ハンマー部５３ａが分ハートカム８２ｄに対して帰零力を及ぼし得なくなるので、そのような事態の生起をさけるべく、先端側長穴部７５は十分な長さを有するように形成されている。
【００７２】
以上の通り、クロノグラフ機構１のセルフアラインメントの最終段階を示す図４を、クロノグラフ機構３０１のセルフアラインメントの最終段階を示す図１３と対比すればわかるように、クロノグラフ機構１では、係合長穴部７０がＬ字状形状であって、基端側長穴部７３に加えてこれに対して斜めに延びた先端側長穴部７５を連続的に備えるので、セルフアラインメントの最終段階において、該長穴部７５の側壁７５ａから係合ピン５８を介して復針レバー５０に対して、分クロノグラフ車８２の帰零力を付与し得る。
【００７３】
すなわち、図２に示した復針レバー５０が帰零位置Ｐ２にあって帰零状態Ｓ２にあるクロノグラフ機構１と図９に示した復針レバー５６４が帰零位置Ｐａ２にあって帰零状態Ｓａ２にあるクロノグラフ機構２０１とを重ねて示した図５からわかるように、この状態では、クロノグラフ機構１の係合長穴部７０の形状とクロノグラフ機構２０１の係合長穴５８２ｃの形状とが図示された状態では動作に直接係わっていない部分（復針レバー５０の係合ピン５８と係合している部分以外の部分）において異なる点を除いて、クロノグラフ機構１はクロノグラフ機構２０１と実際上同一の形状を有し、クロノグラフ機構１の復針レバー５０の係合ピン５８がクロノグラフ機構２０１の復針レバー５６４の係合ピン５６４ａと実際上同一位置を採るので、復針レバー５０のハンマー部５２ａ，５３ａ，５４ａは、関連するクロノグラフ車ないしダミーピン８１，８２，８３に対して帰零動作が完了した位置を採る（例えば、復針レバー５０の分ハンマー部５３ａの先端面５３ｂが分ハートカム８２ｄに向かう力を受けてこれを帰零させ得る点は、図５のクロノグラフ機構２０１の場合と同様である）。
【００７４】
換言すれば、図２に示した復針レバー５０が帰零位置Ｐ２にあって帰零状態Ｓ２にあるクロノグラフ機構１と図１１に示した復針レバー６６４が（仮想）帰零位置Ｐｂ２にあって（仮想）帰零状態Ｓｂ２のクロノグラフ機構３０１とを重ねて示した図６からわかるように、この状態では、クロノグラフ機構１の係合長穴部７０のうちの長穴部７５の向きがクロノグラフ機構３０１の長穴部６８２ｃよりも分クロノグラフ車８２の回転中心Ｃ２の方に向いていて仮想線Ｖ１に対して斜めになっていて、帰零状態Ｓ２にあるクロノグラフ機構１の帰零位置Ｐ２にある復針レバー５０の係合長穴部７０の長穴部７５の側壁７５ａが係合ピン５８に対して加える力の向きＫは、（仮想）帰零位置Ｐｂ２にあるクロノグラフ機構３０１の係合長穴部６８２ｃの側壁が被係合ピン６６４ａに対して加える力の向きＢ６１とは異なり、セルフアラインメントの最終段階において分ハートカム８２ｄに対して有効な帰零力を及ぼして分クロノグラフ車８２を帰零させ得る。
【００７５】
すなわち、長穴部７５を備えた係合長穴部７０を有する復針レバー５０を具備するクロノグラフ機構１では、セルフアラインメントの最終段階においても、帰零力が復針レバー５０を介して適切にハートカムに伝達されて、すべてのクロノグラフ車の帰零動作が適切に行われ得る。
【００７６】
以上においては、復針伝えレバー４０の出力側腕部４３の長さが変わることに応じて三つの帰零力受部の相対配置を保ったままその全体の向き等を変更する場合において、復針伝えレバー４０の出力側腕部４３にある係合長穴部７０の形状や向きを変更する例について説明したけれども、例えば、復針伝えレバー４０の入力側腕部４２の長さや、帰零指示レバー２０や発停レバー３０の長さや形状や相対配置等を変更する場合に、復針伝えレバー４０の出力側腕部４３にある係合長穴部７０の形状や向きを変更するようにしてもよい。また、上記においては、復針伝えレバーが単一のレバーからなる例について図示して説明したけれども、復針伝えレバーが複数のレバーからなる復針伝えレバー構造体であってもよい。
【００７７】
また、以上においては、ムーブメントが小型化される場合を例にとって説明したけれども、ムーブメントが小型化と同様に、クロノグラフ帰零機構を構成するレバー類の長さや形状や相対配置等やクロノグラフ機構を構成するレバー類の長さや形状や相対配置等の変更を要するような変更が必要な場合においても、係合長穴部の形状（向きを含み得る）を変更することにより帰零及びその解除を効果的に行い得るようにする本発明は、そのまま適用され得る。
【００７８】
以上説明した通り、本発明のクロノグラフ帰零機構は、復針伝えレバー４０と、復針レバー５０と、帰零部（例えば帰零力受部８１、８２）とを備える。復針伝えレバー４０は、回動中心の一方側に帰零力を入力する入力側腕部４２と、他方側に帰零力を出力する出力側腕部４３と、出力側腕部４３に形成される第一係合部（例えば係合長穴部７０）とを備える。復針レバー５０は、第一係合部と係合し帰零力を入力する第二係合部（例えば係合ピン５８）と、帰零力に応じて移動する方向を案内する案内部（例えば案内用長穴５５、案内用長溝５６）と、第一打面（例えば先端面５２ｂ）が形成される第一ハンマー部（例えば秒ハンマー５２ａ）と、第二打面（例えば先端面５３ｂ）が形成される第二ハンマー部（例えば分ハンマー５３ａ）とを有する。帰零部は、第一打面が当接して帰零される第一帰零力受部（例えば帰零力受部８１）と、第二打面が当接して帰零される第二帰零力受部（例えば帰零力受部８２）とを有する。
【００７９】
ここで、第一及び第二係合部は、一方が係合穴（例えば係合長穴部７０）からなり他方が係合穴と係合する係合ピン（例えば係合ピン５８）からなり、係合穴は凸状に曲がって長穴からなる。この場合に、既に説明したように、復針伝えレバー４０に第一係合部の係合穴としての係合長穴部７０を設け、復針レバー５０に第二係合部の係合ピン（係合ピン５８）を設けることに代えて、復針伝えレバー４０に係合ピンを設け復針レバー５０に係合穴を設けることができる。このように構成しても、既に説明したと同様の作用を奏することができる。
ここで、本実施形態では、係合長穴部７０は復針伝えレバー４０に、係合ピン５８は復針レバー５０にそれぞれ設けられているが、これに限定されず、係合長穴部７０を復針レバー５０に、係合ピン５８を復針伝えレバー４０にそれぞれ設けるようにしてもよい。
この様な構成によって、本願発明では、係合長穴部７０及び係合ピン５８のいずれか一方が、中心軸線Ｃ５（回動中心）とした周方向に対して、斜めに他方をガイドするようになっている。
【００８０】
また、復針レバー５０の案内部に、既に説明した案内用長穴（例えば案内用長穴５５、案内用長溝５６）を設けることに代えて、ガイドピン（例えばガイドピン５ａ、ガイドピン５ｂ）を設け、例えばクロノグラフ下板５に案内用長穴５５又は案内用長溝５６を設けることができる。このように構成しても既に説明したと同様の作用を奏することができる。
【００８１】
また、第一又は第二係合部の係合穴は、復針レバー５０が帰零力に応じて移動するＤ１方向に凸である凸状に曲がった長穴とすることができる。また、第一又は第二係合部の係合穴は、入力側腕部４２が帰零力に応じて移動する移動方向に凸である凸状に曲がった長穴とすることができる。また、第一又は第二係合部の係合穴は、直線状の２つの長穴部（例えば第一長穴部７３と第二長穴部７５）が折れ曲がって連結して「Ｌ」字形状を有する凸状に曲がった長穴とすることができる。この場合も、帰零力に応じて復針レバー５０が移動するＤ１方向に凸となる、また、帰零力に応じて入力側腕部４２が移動する移動方向に凸となるように設置することができる。
【００８２】
また、第一帰零力受部（例えば秒クロノグラフ車８１）の回転中心（中心軸線Ｃ）と第二帰零力受部（例えば分クロノグラフ車８２）の回転中心（中心軸線Ｃ２）とを結ぶ直線は第二打面（先端面５３ｂ）により形成される平面に対して傾斜するように構成することができる。案内用長穴５５とガイドピン５ａとの間、また、案内用長溝５６とガイドピン５ｂとの間に隙間を設けてガタを作ることによりこの傾斜角を吸収することができるからである。
【００８３】
また、第一打面（例えば先端面５２ｂ）は第二打面（例えば先端面５３ｂ）と直交するように構成することができる。また、復針レバー５０は第一打面に平行な第三打面（例えば先端面５４ｂ）を有し、帰零部は第三打面が当接する第三帰零力受部（例えばダミーピン８３）を備える。なお、第三帰零力受部をダミーピン８３に代えて時ハートカム及び時クロノグラフ真からなる帰零力受部とすることができる。そして、この第三打面は、復針レバー５０が帰零力に応じて移動するＤ１方向に対し第一打面により形成される平面よりも前方又は後方に設けることができる。
【００８４】
また、復針レバー５０の案内部は、帰零力に応じて第一及び第二ハンマーがそれぞれ第一及び第二帰零力受部に当接し帰零する位置において、ガイドピン５ａ、５ｂが位置する近傍の案内用長穴（案内用長穴５５や案内用長溝５６）はガイドピンの径よりも大きい拡径部５５ａ、５６ａを設けることができる。
【実施例２】
【００８５】
図１６は、本発明の実施例２に係るクロノグラフ帰零機構を表す平面模式図である。実施例１のクロノグラフ帰零機構と異なる部分は、時ハンマー５４ａ（第三ハンマー部）の先端面５４ｂ（第三打面）が帰零力に応じて移動するＤ１方向に対し秒ハンマー５２ａ（第一ハンマー部）の先端面５２ｂ（第一打面）により形成される平面よりも後方に位置する点である。その他の構成は実施例１のクロノグラフ帰零機構の構成と同じである。従って、以下、主に実施例１と異なる部分について説明し、同一の部分については説明を省略する。同一の部分又は同一の機能を有する部分には同一の符号を付している。
【００８６】
図１６に示すように、復針レバー５０は、先端面５２ｂ（第一打面）が形成される秒ハンマー５２ａ（第一ハンマー部）と、先端面５３ｂ（第二打面）が形成される分ハンマー５３ａ（第二ハンマー部）と、先端面５４ｂ（第三打面）が形成される時ハンマー５４ａを備える。ここで、先端面５２ｂと先端面５４ｂとは平行に形成され、先端面５４ｂは先端面５２ｂよりも復針レバー５０のＤ１方向に対して後方に位置する。そして、復針レバー５０が復針伝えレバー４０から帰零力を受けてＤ１方向に移動し、秒ハンマー５２ａの先端面５２ｂが帰零力受部８１（第一帰零力受部）に当接して帰零状態に変化すると同時に時ハンマー５４ａが帰零力受部８３（第三帰零力受部）に当接する。
【００８７】
これにより、帰零力受部８１と帰零力受部８３は復針レバー５０から均等に帰零力を受けることができる。また、帰零力受部８３と帰零力受部８１との間に相対的に位置ずれが生ずる場合でも、先端面５２ｂと先端面５４ｂの位置をずらすことにより、帰零力受部８１と帰零力受部８３を同時に帰零することが可能となる。その結果、帰零力受部８１（第一帰零力受部）の中心軸線Ｃ（回転中心）と帰零力受部８２（第二帰零力受部）の中心軸線Ｃ２（回転中心）とを結ぶ直線と、帰零力受部８１の中心軸線Ｃと帰零力受部８３（第三帰零力受部）の中心軸線Ｃ１（本実施例の場合はダミー軸受部）とを結ぶ直線とを直交させる必要が無い。そのため、各帰零力受部８１、８２、８３の相互位置関係の自由度が拡大し、各部品を最適なレイアウトに構成することが可能となる。なお、先端面５４ｂは先端面５２ｂよりも復針レバー５０のＤ１方向に対して前方に位置するように構成してもよい。
【００８８】
なお、本実施例２のクロノグラフ帰零機構を備えるクロノグラフ機構、このクロノグラフ機構を備えるムーブメント、及び、このクロノグラフ機構を備えるクロノグラフ時計を構成することができることは実施例１において説明したと同様である。
【実施例３】
【００８９】
図１７は、本発明の実施例３に係るクロノグラフ帰零機構を表す平面模式図である。実施例１のクロノグラフ帰零機構と異なる部分は、帰零力受部８１（第一帰零力受部）及び帰零力受部８２（第二帰零力受部）の帰零状態において、帰零力受部８１の中心軸線Ｃ（回転中心）と帰零力受部８２の中心軸線Ｃ２（回転中心）とを結ぶ直線は、先端面５３ｂ（第二打面）により形成される平面に対して傾斜する点である。その他の構成は実施例１のクロノグラフ帰零機構の構成と同じである。従って、以下、主に実施例１と異なる部分について説明し、同一の部分については説明を省略する。同一の部分又は同一の機能を有する部分には同一の符号を付している。
【００９０】
図１７に示すように、復針レバー５０は、先端面５２ｂ（第一打面）が形成される秒ハンマー５２ａ（第一ハンマー部）と、先端面５３ｂ（第二打面）が形成される分ハンマー５３ａ（第二ハンマー部）と、先端面５４ｂ（第三打面）が形成される時ハンマー５４ａ（第三ハンマー部）とを備える。ここで、先端面５２ｂと先端面５３ｂとは直交し、先端面５３ｂは中心軸線Ｃと中心軸線Ｃ２とを結ぶ直線に対して傾斜する。そして、復針レバー５０が復針伝えレバー４０から帰零力を受けてＤ１方向に移動し、秒ハンマー５２ａの先端面５２ｂと時ハンマー５４ａの先端面５４ｂと分ハンマー５３ａの先端面５３ｂとを同時に帰零状態に変化させることができる。これは、中心軸線Ｃと中心軸線Ｃ２とを結ぶ直線と先端面５３ｂとの間に多少の傾斜角が存在しても、案内用長穴５５とガイドピン５ａとの間、また、案内用長溝５６とガイドピン５ｂとの間に隙間を設けてガタを作ることによりこの傾斜角を吸収することができるからである。
【００９１】
例えば、帰零力に応じて秒ハンマー５２ａ及び分ハンマー５３ａがそれぞれ帰零力受部８１及び帰零力受部８２に当接して帰零する位置において、ガイドピン５ａ及びガイドピン５ｂのそれぞれが位置する近傍の案内用長穴５５及び案内用長溝５６に、ガイドピン５ａ及びガイドピン５ｂのそれぞれの径よりも大きい拡径部５５ａ及び拡径部５６ａを設ける。これにより、上記中心軸線Ｃと中心軸線Ｃ２とを結ぶ直線と先端面５３ｂとの間に多少の傾斜角が存在する場合でも、帰零力受部８１や帰零力受部８２を同時に帰零状態にすることができる。これにより、各帰零力受部８１、８２の相互位置関係の自由度が拡大し、各部品を最適なレイアウトに構成することが可能となる。
【００９２】
なお、本実施例３のクロノグラフ帰零機構を備えるクロノグラフ機構、このクロノグラフ機構を備えるムーブメント、及び、このクロノグラフ機構を備えるクロノグラフ時計を構成することができることは実施例１において説明したと同様である。
【符号の説明】
【００９３】
１  クロノグラフ機構
２  クロノグラフ時計
３  クロノグラフ帰零機構
４  ムーブメント
５  クロノグラフ下板
５ａ，５ｂ  案内ピン（ガイドピン）
１６  発停（スタート／ストップ）ボタン
１７  帰零指示（リセット）ボタン
２０  帰零指示（リセット）レバー
２２  入力側腕部
２３  出力側腕部
２６  突出部
２９  係合縁部
３０  発停レバー
３３  腕部
３５  押圧用突出部
３６  突出部
４０  復針伝えレバー
４２  入力側腕部
４３  出力側腕部
４４  発停レバー係合部
４５  帰零指示レバー係合用ピン状突起部（係合ピン）
４７  ピン状突起部
５０  復針レバー
５１  案内胴部
５２  第一復針レバー部
５２ａ  秒ハンマー（第一ハンマー部）
５２ｂ  先端面（第一打面）
５２ｄ  先端部
５３  第二復針レバー部
５３ａ  分ハンマー（第二ハンマー部）
５３ｂ  先端面（第一打面）
５４  第三復針レバー部
５４ａ  時ダミーハンマー（第三ハンマー部）
５４ｂ  先端面（第一打面）
５５  案内用長穴（案内溝）
５５ａ  拡径部
５６  案内用長溝（案内溝）
５６ａ  拡径部
５７  力入力部
５８  係合ピン
６４  復針レバー用スイッチばね部
６４ａ  山部
６４ｂ  基端側側面
６４ｃ  先端側側面
７０  係合長穴部
７１，７２，７４  端部
７３  第一長穴部
７３ａ，７３ｂ  側面
７５  第二長穴部
７５ａ，７５ｂ  側面（側縁）
８１  秒クロノグラフ車（第一帰零力受部）
８１ｄ  秒ハートカム
８２  分クロノグラフ車（第二帰零力受部）
８２ｄ  分ハートカム
８３  ダミーピン（力受体）（第三帰零力受部）
Ｃ，Ｃ１，Ｃ２，Ｃ４，Ｃ５  中心軸線
Ｄ１，Ｄ２  復針レバーの変位方向
Ｅ１，Ｅ２、Ｈ１，Ｈ２  回動方向
Ｆ１，Ｆ２，Ｇ１，Ｇ２  ボタンの変位方向
Ｋ  力の向き
Ｍ  楔状隙間
Ｐ１  帰零解除位置（発停位置）
Ｐ２  帰零位置
Ｐ２ｎ  帰零近傍位置
Ｓ１  帰零解除状態（発停状態）
Ｓ２  帰零状態
Ｓ２ｎ  帰零近傍状態
Ｖ１  仮想線
Ｖ２  仮想直角方向
【図１】
0006266218.tif 000002
【図２】
0006266218.tif 000003
【図３】
0006266218.tif 000004
【図４】
0006266218.tif 000005
【図５】
0006266218.tif 000006
【図６】
0006266218.tif 000007
【図７】
0006266218.tif 000008
【図８】
0006266218.tif 000009
【図９】
0006266218.tif 000010
【図１０】
0006266218.tif 000011
【図１１】
0006266218.tif 000012
【図１２】
0006266218.tif 000013
【図１３】
0006266218.tif 000014
【図１４】
0006266218.tif 000015
【図１５】
0006266218.tif 000016
【図１６】
0006266218.tif 000017
【図１７】
0006266218.tif 000018